(57)【特許請求の範囲】
【請求項１】
液体（３）と紛体（９）が互いに分離された状態の飲料容器であって、液体（３）は容器本体（２）に収納されまた、粉体（９）は容器本体（２）の瓶口（２ａ）に位置して該瓶口（２ａ）を閉鎖するようにして止着された密封容器（４）に収納されており、さらに瓶口（２ａ）には同瓶口（２ａ）に対し、常時は突起（５ｃ）が外部側に位置するキャップ（５）を前記密封容器（４）の外側を囲うようにして取脱自在にネジ着したものであって、上記キャップ（５）の突起（５ｃ）を常時とは逆向きにした状態で該キャップ（５）を瓶口（２ａ）に被着した状態おいて、上記突起（５ｃ）の長さが、密封容器（４）を突き破るのに十分な長さであることを特徴とする飲料用混合容器。
【請求項２】
上記キャップ（５）の突起（５ｃ）を常時とは逆向きにした状態で該キャップ（５）を瓶口（２ａ）に被着した状態おいて、同キャップ（５）の突起（５ｃ）形成側には前記瓶口（２ａ）のネジ部（２ｃ）に対しネジ着するネジ部（５e）が形成されていることを特徴とする請求項１に記載の飲料用混合容器。
【発明の詳細な説明】
【０００１】
【発明の属する技術分野】
本願発明は、粉末茶（粉体）と飲料水（液体）が容器に別々に密閉収納されており、そして飲料の際に始めて粉末茶と飲料水が混ざり合うようにしたペットボトル等の合成樹脂製の飲料用混合容器に関するものである。
【０００２】
【従来の技術】
近年の健康志向に伴い、店頭或いは各場所に設置された冷蔵ショウケースや自動販売機により各種飲料用のお茶が販売されている。中でも特にペットボトル型のものが多く販売されている。これは缶型のように一度口を空けたら最後まで飲み切らなくてもよく途中でキャップを再被着して一時中断できる勝手の良さや、缶型のように缶材質である金属の匂いや味して風味を損なうことが無い等の理由によると考えられる。
【０００３】
【発明が解決しようとする課題】
しかしながらペットボトル型のものにおいてもペットボトル型の特に緑茶系のお茶類については問題点があった。
つまり、従来型のペットボトル型のお茶は、あらかじめお茶（茶葉）のエキスを抽出し、この抽出した茶の溶液或いは顆粒のエキスを飲料水に溶かし、ペットボトルに詰めて販売するようにしている。このため、エキスを抽出した段階でお茶の成分であるカテキン、カフェイン、タンニン、テアニン等の旨みや苦味や渋み或いは匂い等、お茶特有の風味或いは香りが半減する上、ボトルに詰められた状態で保存されている内、さらに風味や香りが時間経過と供に無くなってしまう等の問題があった。
【０００４】
また上記ペットボトル型飲料水のお茶は長期保存、変色防止を目的に酸化防止剤を入れることがあるが、これらがお茶の美味しさや風味を低下させるという問題点があった。
つまり、上記従来型のペットボトル型のお茶の問題点は、お茶と飲料水を予め混合した状態で提供されることに起因する。
【０００５】
【課題を解決するための手段】
本願発明は上記問題に鑑み、飲料の際に、いつでも香りの高い美味いお茶が飲めるようにした飲料用混合容器を提供せんとするもので、
第１の発明は、液体３と紛体９が互いに分離された状態の飲料容器であって、液体３は容器本体２に収納されまた、粉体９は容器本体２の瓶口２ａに位置して該瓶口２ａを閉鎖するようにして止着された密封容器４に収納されており、さらに瓶口２ａには同瓶口２ａに対し、常時は突起５ｃが外部側に位置するキャップ５を前記密封容器４の外側を囲うようにして取脱自在にネジ着したものであって、上記キャップ５の突起５ｃを常時とは逆向きにした状態で該キャップ５を瓶口２ａに被着した状態おいて、上記突起５ｃの長さが、密封容器４を突き破るのに十分な長さであることを特徴とする飲料用混合容器を提案するものである。
【０００６】
また、第２の発明は、上記の発明において、上記キャップ５の突起５ｃを常時とは逆向きにした状態で該キャップ５を瓶口２ａに被着した状態おいて、同キャップ５の突起５ｃ形成側には前記瓶口２ａのネジ部２ｃに対しネジ着するネジ部５eが形成されていることを特徴とする飲料用混合容器を提案するものである。
【０００７】
【発明の実施の形態】
以下、本願発明について図１乃至図１０に基づき説明する。まず、図１〜図７により、本願発明の第１の実施例について説明する。
【０００８】
２はペットボトル１の本体容器であり、容器内には飲料水３が収納されている。４は本体容器２の瓶口２ａに止着した密封容器であり、フイルム状の合成樹脂のほかアルミ、耐水性の紙等からなり、その中には茶葉をミクロンの粗さ（粒度）に粉砕した粉末茶９が適量（数グラム）封着されている。茶葉は煎茶、玉露、てん茶の緑茶が使用に適している。なお、密封容器４は器状になっており、容器は主要部４ａが瓶口２ａ内に没入された状態でその鍔部４ｂが瓶口の上端部２ｂに止着される。これにより容器本体２内の飲料水３は容器内に密封されることになる。４ｃは後述のキャップ５に形成した突起５ｃに対応して形成した上面４ｄの凹部を示す。
【０００９】
また、５は瓶口２ａに対し取脱自在にネジ着してなる合成樹脂製のキャップであり、同キャップ５は、全体形状が筒状からなるもので、側周部５ａと、側周部を内外（上下）２つに仕切るようにした仕切り部５ｂと、仕切り部５ｂに形成した外方に突出した突起５ｃと側周部５ａの内側の上下に各々設けた２つのネジ部５ｄ、５ｅとパッキン６、７とからなり、キャップの平常被着時は、ネジ部５ｄが瓶口２ａの外周のネジ部２ｃとネジ着し、また仕切り部５ｂの中央に形成した突起５ｃが外側に向いて突出している。８は必要に応じて側周部５ａの外端部５ｆに装着される薄肉の合成樹脂部材或いは紙部材等からなる保護キャップであり、突起５ｃを覆うようにして取着されている。
【００１０】
次に飲料する際の方法について説明する。
該ペットボトル型の飲料容器は、例えば、店頭の冷蔵ショウケースや自動販売機などに入れられ冷やされた状態で販売される。かかる状態で自動販売機より排出された飲料容器は、瓶口の再外周面に被着するシール材１０が破られ取り除かれた後、飲料時、キャップ５が左に回されて容器本体２の瓶口２ａから外される。外したキャツプ５は次に平常装着時とは逆の向きに被着される。つまり、保護キャップ８が装着されていればこれをまず外し、外側に向いていた突起５ｃを内向き（密封容器側）にし、突起側のネジ部５ｅを瓶口２ａのネジ部２ｃ対して図３ように瓶口２ａにネジ着する。
【００１１】
このネジ着の際、突起５ｃの先端５ｃ１は密封容器４の上面部４ｄの凹部４ｃに対応して同先端５ｃ１と上面４ｄとの間に若干の隙間が形成されることになる。そして被着状態のキャップ５を右回ししてネジきり（締め切り）状態までネジ着すると、十分な長さからなる突起５ｃが密封容器４の上面部４ｄ側を押圧してこれを突き破り、さらに下面部４ｅをも破って容器４内の粉末茶９を容器本体内の飲料水中に落下させる。この状態で容器本体（ペットボトル）１を持って振り、粉末茶と飲料水とを混合させる。
【００１２】
なお、この場合、キャップのネジ切りまでのネジ着によりパッキン７が瓶口２ａの上端部２ｂに当接するため容器本体は気密が保持され、飲料水の容器外への漏れは防止される。
【００１３】
上記において、瓶口２ａに止着する密封容器４は仮止状態で瓶口から簡単に除去する事ができ、特に支障があれば飲料時に取り除くようにしても良い。
【００１４】
図８〜図１０は本願発明の第２の実施例を示すものである。
前記第１の実施例との相違は、突起５ｃ形成側の側周部５ａの内面５ｇ側にネジ部が形成されていないことである。これは図１０示すようにキャップ５を常時とは逆向けにして瓶口に被着し、外方より下方に押し圧することにより、密封容器４を突起２ａにより突き破り容器４内の粉末茶９を飲料水３に落下させ、混合するものである。
【００１５】
上記、混合後、キャップ５を瓶口２ａから取外し、飲料するが、この場合、破られた状態の侭の密封容器４が瓶口２ａの上端部２ｂに止着されて残存しているが、仮止状態で止着されている密封容器４は手の指で少し引っ張るようにすればこの瓶口２ａより簡単に取り外すことができるため、飲む際に支障があれば当然はずしても良いことは言うまでもない。
【００１６】
なお、本願発明については上記実施例にあるような粉末茶に限定されるだけでなく、コーヒ、紅茶、ジュースの粉末類の外、これらを濃縮した液体状のものを密封容器４に密封しておいても良い。
【００１７】
【発明の効果】
本願発明の飲料容器（ペットボトル）は、飲料時、キャップの突起により始めて密封容器が破られて容器内の粉末茶が容器本体内の飲料水に落下し、混合されるため、飲料を飲む人はお茶の成分を逃がさず、また風味や香りを損なわない煎れ立ての美味しいお茶を飲むことができる。
【００１８】
キャップのネジ着に際しその突起により密封容器を破って破壊し、容器内の粉末茶を確実に容器本体内に落下させることができため、混合し易くなる。
【図面の簡単な説明】
【図１】本願発明の第１の実施例を示すもので、シール部材を剥がす前の飲料用容器の要部断面図。
【図２】同じくシール部材を剥がした状態の飲料用容器の要部断面図。
【図３】同じく、キャップを瓶口より取外した状態の飲料用容器の要部断面図。
【図４】同じくキャップを逆向けにし逆向けした側のネジ着が終了して密封容器が突き破られ紛抹茶が飲料水に落下した状態を示す。
【図５】同じくキャップを取外した状態を示す要部断面図。
【図６】同じくキャップを取外した本体を示す。
【図７】密封容器の正面図（ａ）と斜視図（ｂ）。
【図８】本願発明の第２の実施例を示すもので、シール部材を剥がした状態の飲料用容器の要部断面図。
【図９】同じく、キャップを瓶口より取外した状態の飲料用容器の要部断面図。
【図１０】同じくキャップを逆向けにし逆向けした側のネジ着が終了して密封容器が突き破られ紛抹茶が飲料水に落下した状態を示す。
【符号の説明】
１      ペットボトル（飲料用混合容器）
２      本体容器
２ａ    瓶口
２ｃ    ネジ部
３      飲料水（液体）
４      密封容器
４ａ    容器主要部
５      キャップ
５ａ    側周部
５ｃ    突起
５ｄ    ネジ部
５ｅ    ネジ部
９      紛末茶（粉体）
【図１】
0004749629.tif 000002
【図２】
0004749629.tif 000003
【図３】
0004749629.tif 000004
【図４】
0004749629.tif 000005
【図５】
0004749629.tif 000006
【図６】
0004749629.tif 000007
【図７】
0004749629.tif 000008
【図８】
0004749629.tif 000009
【図９】
0004749629.tif 000010
【図１０】
0004749629.tif 000011